(57)【要約】【課題】  本発明は複数枚の鋼板やステンレス板を溶接して目地カバーにしても、接続部に歪が発生して、波打ったりするのを効率よく阻止することができるとともに、接続部が破断したりするのを効率よく阻止することができる、目地カバーを用いた床用目地装置を得るにある。【解決手段】  目地部を介して設けられた左右の床躯体間の目地部を複数枚の鋼板やステンレス板の目地カバー本体を溶接で接続した目地カバーを用いて覆う床用目地装置において、前記目地カバー本体の接続部をパルス波形状あるいはアリ溝波形状の嵌合部を形成し、該嵌合部の角部を点付け溶接で接続して歪の発生を防止できるようにして床用目地装置を構成している。【選択図】  図２
2010248772.tif 000002
【特許請求の範囲】
【請求項１】
目地部を介して設けられた左右の床躯体間の目地部を複数枚の鋼板やステンレス板の目地カバー本体を溶接で接続した目地カバーを用いて覆う床用目地装置において、前記目地カバー本体の接続部をパルス波形状あるいはアリ溝波形状の嵌合部を形成し、該嵌合部の角部を点付け溶接で接続して歪の発生を防止できるようにしたことを特徴とする床用目地装置。
【発明の詳細な説明】
【技術分野】
【０００１】
本発明は目地部を介して設けられた左右の床躯体間の目地部を覆う目地カバーを用いた床用目地装置に関する。
【背景技術】
【０００２】
近年、床用目地装置は免震用として移動値が５００ミリ、６００ミリから１２００ミリまで大型化している。
一方、目地カバーとして使用する鋼材のサイズは、通常９１４ミリまたは１２１９ミリと規格化されている。
このため、前記鋼材サイズよりも広い幅寸法の場合、通常サイズの９１４ミリまたは１２１９ミリの規格化された鋼材を現場へ搬送し、荷重に耐えられるように、突き合わせ、線状態となるように溶接して構成した目地カバーを使用している。
【０００３】
しかしながら、このように鋼材を突き合わせて線状に溶接すると、金属の性質上、歪が発生して波打つ形となり、平面が平坦にならず、現場で平坦になおす作業はできず、人や台車の通行で溶接部分が破断してしまう不具合が生じるという欠点があった。
【先行技術文献】
【特許文献】
【０００４】
【特許文献１】特開２００５−３０７７０３
【発明の概要】
【発明が解決しようとする課題】
【０００５】
本発明は以上のような従来の欠点に鑑み、複数枚の鋼板やステンレス板を溶接して目地カバーにしても、接続部に歪が発生して、波打ったりするのを効率よく阻止することができるとともに、接続部が破断したりするのを効率よく阻止することができる、目地カバーを用いた床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の床躯体間の目地部を複数枚の鋼板やステンレス板の目地カバー本体を溶接で接続した目地カバーを用いて覆う床用目地装置において、前記目地カバー本体の接続部をパルス波形状あるいはアリ溝波形状の嵌合部を形成し、該嵌合部の角部を点付け溶接で接続して歪の発生を防止できるようにして床用目地装置を構成している。
【発明の効果】
【０００８】
以上の説明から明らかなように、本発明にあっては次に列挙する効果が得られる。
【０００９】
（１）目地部を介して設けられた左右の床躯体間の目地部を複数枚の鋼板やステンレス板の目地カバー本体を溶接で接続した目地カバーを用いて覆う床用目地装置において、前記目地カバー本体の接続部をパルス波形状あるいはアリ溝波形状の嵌合部を形成し、該嵌合部の角部を点付け溶接で接続して歪の発生を防止できるようにしているので、接続部を嵌合部の角部を点付け溶接で接続しているので、溶接時の熱で歪が発生するのを効率よく阻止することができ、接続されていても平坦な目地カバーにでき、安全に使用することができる。
【００１０】
（２）前記（１）によって、接続部をパルス波形状あるいはアリ溝波形状の嵌合部に形成しているので、接続部が破断するのを効率よく阻止することができる。
【００１１】
（３）前記（１）により、目地カバーを複数枚の鋼板やステンレス板を現場で接続して一体にしたものを用いるので、現場への搬送が容易で、楽に設置することができる。
【図面の簡単な説明】
【００１２】
【図１】本発明を実施するための第１の形態の平面図。
【図２】図1の２−２線に沿う断面図。
【図３】本発明を実施するための第１の形態の目地カバー本体の説明図。
【図４】本発明を実施するための第１の形態の目地カバーの接続部の説明図。
【図５】本発明を実施するための第１の形態の目地部が狭くなった動作説明図。
【図６】本発明を実施するための第１の形態の目地部が広くなった動作説明図。
【図７】本発明を実施するための第2の形態の平面図。
【図８】図５の６−６線に沿う断面図。
【図９】本発明を実施するための第2の形態の目地カバー本体の説明図。
【図１０】本発明を実施するための第2の形態の目地カバーの接続部の説明図。
【図１１】本発明を実施するための第３の形態の平面図。
【図１２】図9の１０−１０線に沿う断面図。
【図１３】本発明を実施するための第３の形態の目地カバーの接続部の説明図。
【図１４】本発明を実施するための第３の形態の目地部が狭くなった動作説明図。
【図１５】本発明を実施するための第３の形態の目地部が広くなった動作説明図。
【発明を実施するための形態】
【００１３】
以下、図面に示す本発明を実施するための形態により、本発明を詳細に説明する。
【００１４】
図１ないし図６に示す本発明を実施するための第１の形態において、１は本発明の床用目地装置で、この床用目地装置1は目地部２を介して設けられた左右の床躯体３、３間の目地部２を、後端部が一方の床躯体３の目地部側の上面に複数本のタッピング皿ビス４で固定され、先端部が前記目地部２の寸法Ｌとほぼ同じ寸法だけ他方の床躯体３の上面にスライド移動可能に設けられた目地カバー５で構成されている。
【００１５】
前記目地カバー５は先端と後端とが傾斜面６、６に形成された９１４ミリあるいは１２１９ミリ幅で、厚さが３ミリ、４ミリ、５ミリの鋼板あるいはステンレス板の両側部に嵌合できるように形成されたパルス波形状の嵌合部７、８が形成された目地カバー本体９と、この複数個の目地カバー本体９、９の嵌合部７、８を嵌合させた接続部である嵌合部７、８の角部９ａ、９ａ、９ａ、９ａを点付け溶接１０、１０、１０、１０で接続して構成されている。  
【００１６】
上記構成の床用目地装置１は地震で目地部２が狭くなると、図５に示すように目地カバー５の先端部が他方の床躯体３上を接触面積が大きくなるようにスライド移動して、その揺れ動きを吸収する。
また、地震で目地部２が広くなると、図６に示すように、目地カバー５の先端部が他方の床躯体３上を接触面積が小さくなるようにスライド移動し、その揺れ動きを吸収する。
目地カバー５上を人や台車等が通行し、その時に目地カバー５に荷重が加わるが、パルス波形状の嵌合部７、８で嵌合された接続部を嵌合部７、８の角部９ａ、９ａ、９ａ、９ａを点付け溶接１０、１０、１０、１０で接続されているため、溶接割れはなく、歪の発生のない十分な強度で接続されているため、損傷したりすることなく、安全に使用することができる。
[発明を実施するための異なる形態]
【００１７】
次に、図７ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図７ないし図１０に示す本発明を実施するための第２の形態において、前記本発明を実施するための第１の形態と主に異なる点は、目地カバー本体９Ａの両側部にアリ溝波形状の嵌合部７Ａ、８Ａを形成し、この目地カバー本体９Ａを複数枚、嵌合部７Ａ、８Ａを嵌合させた接続部の嵌合部７Ａ、８Ａの角部９ａ、９ａ、９ａ、９ａを点付け溶接１０、１０、１０、１０で接続した目地カバー５Ａを用いた点で、このような目地カバー５Ａを用いて構成した床用目地装置１Ａにしても、前記本発明を実施するための第１の形態と同様な作用効果が得られるとともに、アリ溝波形状の嵌合部７Ａ、８Ａの嵌合により、移動不能な嵌合となり、より強度が得られる状態で目地カバー本体９Ａ、９Ａを接続することができる。
なお、長辺となる角部９ａ、９ａ間に、仮想線で示すように点付け溶接１１を行なってもよい。
【００１９】
図１１ないし図１５に示す本発明を実施するための第３の形態において、前記本発明を実施するための第２の形態と主に異なる点は、他方の床躯体３の目地部側上面に目地部２の幅寸法の約２倍の目地プレートスライド支持凹部１２を形成し、一方の床躯体３の目地部側上面に目地プレート支持凹部１３を形成し、該目地プレート支持凹部１３に目地プレート１４の後端部を複数本の支持ピン１５で支持させ、目地プレート１４の先端部を前記目地プレートスライド支持凹部１２の中央部にローラ１６を介して支持させるとともに、前記目地プレート１４の中央部に先端部が位置し、後端部が他方の床躯体３の目地プレートスライド支持凹部１２近傍の床躯体３に複数本のタッピング皿ビス１７で固定した目地カバー５Ａを用いた点で、このように構成された床用目地装置１Ｂにしても、前記本発明を実施するための第２の形態と同様な作用効果が得られる。
【産業上の利用可能性】
【００２０】
本発明は目地部を介して設けられた左右の床躯体間の目地部を覆う床用目地装置を製造する産業で利用される。
【符号の説明】
【００２１】
１、１Ａ、１Ｂ：床用目地装置、２：目地部、
３：床躯体、                  ４：タッピング皿ビス、
Ｌ：寸法、                    ５、５Ａ：目地カバー、    
６：傾斜面、                  ７、７Ａ：嵌合部、
８、８Ａ：嵌合部、            ９、９Ａ：目地カバー本体、
９ａ：角部、                  １０：点付け溶接、
１１：点付け溶接、
１２：目地プレートスライド支持凹部、
１３：目地プレート支持凹部、  １４：目地プレート、
１５：支持ピン、              １６：ローラ、
１７：タッピング皿ビス。
【図１】
2010248772.tif 000003
【図２】
2010248772.tif 000004
【図３】
2010248772.tif 000005
【図４】
2010248772.tif 000006
【図５】
2010248772.tif 000007
【図６】
2010248772.tif 000008
【図７】
2010248772.tif 000009
【図８】
2010248772.tif 000010
【図９】
2010248772.tif 000011
【図１０】
2010248772.tif 000012
【図１１】
2010248772.tif 000013
【図１２】
2010248772.tif 000014
【図１３】
2010248772.tif 000015
【図１４】
2010248772.tif 000016
【図１５】
2010248772.tif 000017